(57)【要約】      （修正有）【課題】印刷布をしわを入れず簡単に壁面に固定する布固定フレームを提供する。【解決手段】受けフレーム４と押し込みフレーム３を有する、印刷布２を四方に一定の張力を持たせて固定する装置である。受けフレーム４に備えられた凸部と、押し込みフレーム３に備えられた凹部が、印刷布２を挟んで勘合して固定できるように、略同一の形状及びサイズとなるように形成される。【選択図】図３
0003193738.tif 000002
【実用新案登録請求の範囲】
【請求項１】
印刷した布を四方に一定の張力を持たせて固定する装置で、受けフレーム（４）と押し込みフレーム（３）とで構成され、受けフレームには凸部（５）、押し込みフレームには凹部（６）を設けて布を簡単に固定する、布固定フレーム。
【請求項２】
受けフレームには硬度のあるアルミニュウムや硬質樹脂を使用して寸法を安定させ、押し込みフレームには半硬質樹脂などを使用して、押し込んだ時に多少変形してフレームの凹凸部に布を密着させて固定する、前記請求項１記載の布固定フレーム。
【請求項３】
受けフレームは壁面に固定する時ネジを使用するが、傷をつけないため受けフレームの底部に両面テープやマジックテープを使用して固定することができる前期請求項1記載の布固定フレーム。
【考案の詳細な説明】
【技術分野】
【０００１】
本考案は、印刷布を簡単に壁面に固定する装置である、室内装飾や店舗装飾または展示会などに印刷した布をしわを入れず簡単に固定する技術である。
【背景技術】
【０００２】
近年インクジェトの発達により大きな面積にも簡単に美しい印刷ができる世になった、フイルムだけでなく布にも印刷ができるようになり、その用途が一段と広がっている。
【０００３】
布への印刷ができるようになり、布独特の柔らかな発色は室内装飾などには一段と魅力がある、布をしわを入れずに固定できれば、紙やプラスチックと違った新しい魅力が発揮できて、その用途が広がる。
【０００４】
従来、店舗の看板などはプラスチックの板に印刷したフイルムや紙を挟んで掲示していて、重く高価であったが、布印刷の掲示は軽く低コストで出来る。
【考案の開示】
【考案が解決しようとする課題】
【０００５】
インクジェットの発達により、布地に簡単に美しい印刷ができるようになった、印刷した布地を四方に一定の張力で固定する装置は大掛かりでそのコストが高く経済的ではない。
【０００６】
印刷した柔らかい布地を最大限魅力ある形状で見せるには、平面に取り付けて、しわやゆがみをなくすことが重要であるが、その簡便な方法が無い。
【０００７】
紙やフイルムと異なり、柔らかい布地への印刷品はそのソフト感で魅力ある表現ができるが、周囲を張力をかけて取り付けるが、新しい布地を取り換えるとき、簡便な方法が無い。
【課題を解決するための手段】
【０００８】
柔らかい布地の印刷品を四方に張力をかけて取り付けるには、まず受けフレーム（４）と押し込みフレーム（３）の間に印刷した布地（２）を挟み込み、押し込みフレームを押し込んで布地と一緒に受けフレーム内に収める、この時受けフレームの凸部（５）と押し込みフレームの凹部（６）との間に布地が挟み込まれ、抜けなくなって固定される。
【０００９】
受けフレームはアルミニュウムや硬質樹脂で出来ている、寸法安定性に優れ布地をしっかり受け止める、押し込みフレームは半硬質樹脂などの多少変形する樹脂で構成されている、凹凸部のかんごうの時押し込みフレームが変形してかんごうを強固にする、かんごう部に布地が挟み込まれており、布地を強固に固定する。
【００１０】
四方に一定の張力を掛けるために、まず上部の平行フレームに布地を固定する、引きつづき下部の平行フレームを固定する、続いて左右のフレームを順次固定する、最後にフレームの外にある余分な布地をカットして仕上げる。布地には伸縮性があり、押し込みフレームで布地を押し込むとき、布地が引っ張られ上下左右に一定の張力が発生して、自動的に四方に張力がかかり皺やゆがみを発生させない。
【００１１】
固定フレームは壁面にねじ止めをして固定する、壁面に傷をつけないため両面テープやマジックテープ（登録商標）で固定しても良い。
【００１２】
固定フレームと押し込みフレームの重量は非常に軽い、使用している資材も少量であり、使用する布地も軽量である、従来の固定枠に比べ使用する資材は格段に省資源で制作コストも大幅に削減できる。
【考案の効果】
【００１３】
周囲を固定するフレームの重量は軽量である、使用している資材も少量であり、使用する布地も軽量である、使用する原材料は少なくなり省資源の制作が可能となる。
【００１４】
インクジェット印刷の発達により、大きい面積の印刷や少量印刷でも低コストで製造することが可能となる、仕上がりが美しい布地の印刷品がしわを入れずに簡単に掲示できればその用途は一段と広がる。
【００１５】
布地への印刷品は非常に美しく独自の表現力がある、室内装飾や店舗装飾又は展示会などへの用途が広がる。
【考案を実施するための最良の形態】
【００１６】
まず、四方に受けフレーム（４）を固定する、受けフレームより多少大きめの印刷布（２）を仮止めして押し込みフレーム（３）で印刷した布地（２）と一緒に受けフレームに押し込んで固定する。
【００１７】
受けフレームの凸部（５）と押し込みフレームの凹部（６）がしっかりかんごうしたことを確かめて、押し込みフレームの外側の余分な布を切り落とす。
【００１８】
固定フレーム（４）は壁面へねじ止めするが、壁面への傷をつけない為に両面テープやマジックテープ（登録商標）で固定することも可能である。
【図面の簡単な説明】
【００１９】
【図１】固定フレームに印刷布を固定して掲示した状態。
【図２】印刷布を押し込みフレームで受けフレームへ押し込む。
【図３】印刷布を固定して掲示している断面図。
【符号の説明】
【００２０】
１、固定フレーム
２、印刷布
３、押し込みフレーム
４、受けフレーム
５、受けフレームの凸部
６、押し込みフレームの凹部
７、壁面
９、固定ネジ
１０、押し込む
【図１】
0003193738.tif 000003
【図２】
0003193738.tif 000004
【図３】
0003193738.tif 000005
【手続補正書】
【提出日】平成26年6月13日(2014.6.13)
【手続補正１】
【補正対象書類名】実用新案登録請求の範囲
【補正対象項目名】全文
【補正方法】変更
【補正の内容】
【実用新案登録請求の範囲】
【請求項１】
印刷した布を四方に一定の張力を持たせて固定する装置で、押し込みフレーム（３）を印刷布（２）の表面側から押し込みフレームと一緒に受けフレーム（４）に押し込むと、受けフレームの凸部（５）、と押し込みフレーム凹部（６）が印刷布を挟んで勘合することで布を固定する、布固定フレーム。
【請求項２】
受けフレームには硬度のあるアルミニュウムや硬質樹脂を使用して寸法を安定させ、押し込みフレームには半硬質樹脂などを使用して、押し込んだ時に多少変形してフレームの凹凸部に布を密着させて固定する、布固定フレーム。
【請求項３】
受けフレームは壁面に固定する時ネジを使用するが、傷をつけないため受けフレームの底部に両面テープや面ファスナーを使用して固定することができる布固定フレーム。
【手続補正書】
【提出日】平成26年8月19日(2014.8.19)
【手続補正１】
【補正対象書類名】実用新案登録請求の範囲
【補正対象項目名】全文
【補正方法】変更
【補正の内容】
【実用新案登録請求の範囲】
【請求項１】
受けフレーム（４）と押し込みフレーム（３）を有する、印刷布を四方に一定の張力を持たせて固定する装置で、前記受けフレーム（４）に備えられた凸部（５）と、前記押し込みフレーム（３）に備えられた凹部（６）が、前記印刷布を挟んで勘合して固定できるように、略同一の形状及びサイズとなるように形成されたことを特徴とする、布固定フレーム。
【請求項２】
前記受けフレーム（４）には、硬度のあるアルミニュウムや硬質樹脂を使用して寸法を安定させ、前記押し込みフレーム（３）には半硬質樹脂などを使用して、押し込んだ時に多少変形して前記凸部（５）及び前記凹部（６）に布を密着させて固定する、請求項1記載の布固定フレーム。
【請求項３】
前記受けフレーム（４）の底部に、壁面への固定用のネジ又は両面テープ、面ファスナーを設けたことを特徴とする、請求項１記載の布固定フレーム。